(57)【要約】【課題】本発明は、一時的な駐輪時に、自転車に取り付けて使用されることによって窃盗行為を抑止する新規な盗難防止装置を提供することを目的とする。【解決手段】  振動感応式のブザー２１を備えた装置本体２と、前記装置本体２に取り付けられた複数の自動巻取り式のリール３と、前記リール３の各々に対し、引き出し可能に巻き回された複数の索体４と、前記索体４の各々の先端に取り付けられた複数のフック５と、を具備してなる盗難防止装置１を自転車Ｂに取り付ける。【選択図】図１
2019038360.tif 000002
【特許請求の範囲】
【請求項１】
自転車に取り付けて使用される盗難防止装置であって、
振動感応式のブザーを備えた装置本体と、
前記装置本体に取り付けられた複数の自動巻取り式のリールと、
前記リールの各々に対し、引き出し可能に巻き回された複数の索体と、
前記索体の各々の先端に取り付けられた複数のフックと、
を具備してなることを特徴とする盗難防止装置。
【請求項２】
請求項１に記載の盗難防止装置において、
前記索体が、３ｍｍ以下の太さとなされた盗難防止装置。
【請求項３】
請求項１又は２に記載の盗難防止装置において、
前記索体の引き出し長さが、３０ｃｍ以上となされた盗難防止装置。
【請求項４】
請求項１ないし３のいずれか１項に記載の盗難防止装置において、
前記フックが錠前付きフックとなされた盗難防止装置。
【発明の詳細な説明】
【技術分野】
【０００１】
本発明は、自転車に取り付けて使用される盗難防止装置に関する。
【背景技術】
【０００２】
自転車の盗難を防止する器具としては、自転車のフロントフォーク又はサドル後部のフレームに据え付けられて、前輪や後輪のスポーク間に閂を挿入する仕組みとなされた箱型錠や馬蹄錠が一般的である。現在、この種の据え付け式の錠は、主に「ママチャリ」と称されるシティサイクル（軽快車）に取り付けられて使用されている。
【０００３】
一方、ロードバイクやマウンテンバイク或いはクロスバイクなどのスポーツバイクの盗難を防止するにあたっては、ワイヤー錠やセルフコイルなどの、自転車とは独立した盗難防止用の器具が用いられている。
【０００４】
前記シティサイクルの盗難防止にあたり据え付け式の錠が使用されている理由は、前記シティサイクルの盗難事件の多くが「乗り捨て」を目的とするものであり、前記シティサイクルの盗難を防止する器具に求められる機能が「自転車自体の盗難防止」だからである。
【０００５】
一方、前記スポーツバイクは、前記シティバイクと比較して非常に高価であることから、オーナーの防犯意識が高く、屋外に長時間にわたって駐輪されることが殆どない。そのため、前記スポーツバイク自体の盗難は起こり難い。
【０００６】
前記スポーツバイクの盗難事件の多くは、ツーリングの途中に立ち寄ったコンビニエンスストアや飲食店での一時的な駐輪時において、「盗んだパーツの転売」を目的として行われているのが現状である。そのため、前記スポーツバイクのオーナーは、一時的な駐輪時におけるパーツの盗難を防止すべく、自転車とは独立した盗難防止用の器具を複数用いて個々のパーツを施錠する場合が多い。
【０００７】
最近では、自転車の前輪或いは後輪の回り止めロック機能と、自転車を構造物に繋止する機能と、更に自転車車載の部品をロック本体に繋止することができる機能とを同時に備えた係脱自在の多目的固定ロックも開発されている（例えば、下記特許文献１参照。）。
【先行技術文献】
【特許文献】
【０００８】
【特許文献１】特開２００５‐６７４１１号公報
【発明の概要】
【発明が解決しようとする課題】
【０００９】
しかしながら、ツーリングの際に複数の盗難防止用の器具を持ち運び、一時的な駐輪のたびに個々のパーツを施錠し、ツーリング再開の際に開錠する作業は非常に煩雑である。
【００１０】
又、転売の目的をもってパーツを窃盗する犯罪行為を行う者は、ワイヤーを切断するための工具や開錠するための工具を持参しており、窃盗を完全に防止することは事実上不可能である。
【００１１】
本発明は、前記技術的課題に鑑みて完成されたものであり、一時的な駐輪時に、自転車に取り付けて使用されることによって窃盗行為を抑止する新規な盗難防止装置を提供することを目的とする。
【課題を解決するための手段】
【００１２】
前記技術的課題を解決する本発明の盗難防止装置は、自転車に取り付けて使用される盗難防止装置であって、振動感応式のブザーを備えた装置本体と、前記装置本体に取り付けられた複数の自動巻取り式のリールと、前記リールの各々に対し、引き出し可能に巻き回された複数の索体と、前記索体の各々の先端に取り付けられた複数のフックと、を具備してなることを特徴とする（以下、「本発明装置」と称する。）。
【００１３】
前記本発明装置においては、前記索体が、３ｍｍ以下の太さとなされたものが好ましい態様となる。
【００１４】
前記本発明装置においては、前記索体の引き出し長さが、３０ｃｍ以上となされたものが好ましい態様となる。
【００１５】
前記本発明装置においては、前記フックが錠前付きフックとなされたものが好ましい態様となる。
【発明の効果】
【００１６】
本発明によれば、一時的な駐輪時における窃盗行為を抑止することができる。
【図面の簡単な説明】
【００１７】
【図１】図１(ａ)は、本発明装置の一実施形態を正面方向から示す斜視図であり、図１（ｂ）は、前記本発明装置を裏面方向から示す斜視図であり、図１（ｃ）は、前記本発明装置１を自転車に固定した状態を示す側面図である。
【図２】図２(ａ)は、前記本発明装置を装置本体側から断面状態にて示す正面図であり、図２（ｂ）は、前記本発明装置をリール側から断面状態にて示す正面図である。
【図３】図３は、前記本発明装置によって構築された盗難防止の一使用態様である。
【図４】図４(ａ)は、本発明装置の他の実施形態を示す斜視図であり、図４（ｂ）は前記本発明装置のフックを示す正面図である。
【発明を実施するための形態】
【００１８】
以下、本発明の実施形態を図面に基づいて説明するが、本発明はこの実施形態に限定されるものではない。
【００１９】
＜本発明装置１＞
図１に、本発明装置１の一実施形態を示す。前記本発明装置１は、装置本体２と、リール３と、索体４と、フック５と、を具備する。
【００２０】
‐装置本体２‐
図２(ａ)に示すように、前記装置本体２は、振動感応式のブザー２１を備える。本実施形態においては、前記装置本体２の外郭をなす筐体２０内に、外部から与えられた衝撃や振動を感知し、電気信号を発するセンサ（ショックセンサ）２２と、前記センサ２２から発した電気信号を受けて警告音を鳴らす音響発生装置２３と、からなるブザー２１を配することによって前記装置本体２を構築した。なお、本実施形態において、前記ブザー２１は、リモコンＲによる遠隔操作にて起動する仕組みとなされている。
【００２１】
‐リール３‐
前記リール３は、前記装置本体２に対し複数取り付けられる。本実施形態においては、前記リール３を二個重ねた状態で、前記装置本体２の一面に固定することによって、前記リール３を前記装置本体２に対して取り付けた。前記リール３は、自動巻取り式（前記索体４を自動的に巻き取るための機械要素）であり、本実施形態においては、前記リール３として、図２（ｂ）に示すような弦巻バネ３０の付勢力によって前記索体４を引き込みながら巻取る仕組みとなされたものを用いた。又、前記リール３には、取付金具６が設けられており（図１（ｂ）参照）、前記取付金具６を利用して、前記本発明装置１を自転車Ｂのフレーム１１０の適宜箇所に固定し得るようになされている（図１（ｃ）参照）。
【００２２】
‐索体４‐
前記索体４は、前記リール３の各々に対して引き出し可能に巻き取られる。本実施形態においては、前記索体４として、太さ０．８ｍｍのステンレスワイヤーを用いた。又、前記索体４の引き出し長さは、１００ｃｍとした。
【００２３】
‐フック５‐
前記フック５は、前記索体４の各々の先端に取り付けられる。本実施形態においては、前記フック５として、鉤爪状の金具を用いた。
【００２４】
＜本発明装置１の使用態様＞
図３に、前記本発明装置１の一使用態様を示す。以下、説明の便宜上、自転車Ｂの前輪１２０側を「前方」、後輪１３０側を「後方」と称する。本使用態様では、自転車Ｂを駐輪した後、まず、前記リール３の一方から前記索体４を引き出し、前記フック５をフレーム１１０の適宜箇所に巻き付けた後、前輪１２０のスポーク１２１間に数回通過させながら前方に導き、更に前方に存するスポーク１２１に引っ掛ける。次いで、前記リール３のもう一方から前記索体４を引き出し、前記フック５をフレーム１１０の適宜箇所に巻き付けた後、後輪１３０のスポーク１３１間に数回通過させながら後方に導き、更に後方に存するスポーク１３１に引っ掛ける。なお、前記作業実行の際に生じた前記索体４の余分なたるみは、自動巻取り式の前記リール３によって巻き取られるため、前記索体４にはテンションが掛かる。
【００２５】
最後に、前記リモコンＲを操作して、前記ブザー２１を起動させれば、前記本発明装置１による盗難防止の一使用態様が構築される。
【００２６】
この使用態様が構築された自転車Ｂから前輪１２０を盗もうとした場合、まず、スポーク１２１に引っ掛かっている前記フック５をスポーク１２１から外したうえで、前記フック５を前記索体４が通過しているスポーク１２１間に通し、更に、フレーム１１０に巻き付いている部分を解きながら後方に送り、前記索体４を前記リール３に巻き戻させる手段が考えられる。しかしながら、前記ブザー２１に振動を与えることなく、このような作業を実行することは困難である。
【００２７】
又、前記索体４を切断する手段も考えられるが、前記索体４を切断すると、前記リール３によって前記索体４が勢いよく巻き取られるため、前記ブザー２１に振動が与えられる。
【００２８】
更に、自転車Ｂ自体を持ち上げてトラックなどの搬送車に積み込む手段も考えられるが、やはり、前記ブザー２１に振動を与えることなくこのような作業を実行することは困難である。
【００２９】
勿論、これらの作業につき、ゆっくりと慎重に行えば、前記ブザー２１に振動を与えずに行うことも可能である。しかしながら、自転車Ｂのオーナーが近くにいる一時的な駐輪という状況下において、これらの作業をゆっくりと慎重に行うわけにもいかない。
【００３０】
即ち、前記本発明装置１によれば、自転車Ｂの駐輪時において、前記フック５を自転車Ｂの各所隙間を通したうえで、盗まれたくないパーツに引っ掛け、前記ブザー２１を起動させるといった簡単な作業によって、自転車Ｂそのものの盗難、及び、パーツの盗難を抑制し得る使用態様を構築することができる。なお、本発明装置１によって構築される盗難防止の使用態様は、必ずしも自転車Ｂ一台にのみで構築されるものではなく、ガードレール等の構造物や近隣に駐輪している他の自転車を利用して構築しても良い。
【００３１】
ところで、本実施形態においては、前記索体４として、太さ０．８ｍｍのステンレスワイヤーが用いられているが、前記索体４については最悪切断されても防犯効果が発現し得ることから、前記索体４について剛性は要求されない。そのため、前記索体４は細くても良く、前記索体４が細くなれば前記本発明装置１の軽量化が実現される。本発明において、前記索体４の太さは、３ｍｍ以下（より好ましくは０．５〜２ｍｍ）とすることが好ましい。
【００３２】
又、本実施形態においては、前記索体４の引き出し長さを１００ｃｍとしているが、前記索体４の引き出し長さが長くなれば、より複雑な盗難防止の使用態様を構築することができる。本発明において、前記索体４の引き出し長さは、３０ｃｍ以上（より好ましくは５０〜２００ｃｍ）とすることが好ましい。
【００３３】
更に、本実施形態においては、前記装置本体２を前記取付金具６を介して前記本発明装置１を自転車Ｂに固定しているが、前記本発明装置１は、必ずしも自転車に固定しなくても良い。又、前記装置本体２の形状（前記本発明装置１の全体形状）も特に限定されるものではない。
【００３４】
なお、本実施形態においては、前記フック５として単なる鉤爪状の金具を用いたが、前記フック５として、図４に示すような錠前付きフック（ダイアル５０a〜５０ｃの全てが所定の数字と一致しなければ、ロック竿５２によって施錠されているフック本体５１を開錠できない構造となされたフック）を用いれば、更に盗難防止効果が向上する。
【００３５】
なお、本発明は、その精神または主要な特徴から逸脱することなく、他のいろいろな形で実施することができる。そのため、上述の実施形態はあらゆる点で単なる例示にすぎず、限定的に解釈してはならない。本発明の範囲は特許請求の範囲によって示すものであって、明細書本文には、なんら拘束されない。さらに、特許請求の範囲の均等範囲に属する変形や変更は、全て本発明の範囲内のものである。
【符号の説明】
【００３６】
１  本発明装置（盗難防止装置）
２  装置本体
３  リール
４  索体
５  フック
６  取付金具
２１  ブザー
２２  センサ
２３  音響発生装置
Ｂ  自転車
【図１】
2019038360.tif 000003
【図２】
2019038360.tif 000004
【図３】
2019038360.tif 000005
【図４】
2019038360.tif 000006